(57)【要約】【課題】複数の水槽を備えたドラム式洗濯機において、洗剤投入作業を効率化でき、かつ、洗剤収容枠体の配置自由度を損なうことなく、水槽への洗剤水の給水経路を形成し得るドラム式洗濯機を提供する。【解決手段】上部に配置された第１の水槽１１１と下部に配置された第２の水槽２１１を併せ持つドラム式洗濯機において、第１の水槽１１１に洗剤水を供給するための第１洗剤収容容器１０４と第２の水槽２１１に洗剤水を供給するための第２洗剤収容容器２０４を備え、第１洗剤収容容器１０４と第２洗剤収容容器２０４を一体型の洗剤収容枠体１０６に収容したことにより、洗剤投入作業を効率化でき、かつ、洗剤収容枠体１０６の配置自由度を損なうことなく、回転ドラム１１０、２１０および水槽１１１、２１１への洗剤水の給水経路を形成し得る。【選択図】図２
2017121393.tif 000002
【特許請求の範囲】
【請求項１】
上部に配置された第１の水槽と下部に配置された第２の水槽を併せ持つドラム式洗濯機において、前記第１の水槽に洗剤水を供給するための第１の洗剤容器と前記第２の水槽に洗剤水を供給するための第２の洗剤容器を備え、前記第１の洗剤容器と前記第２の洗剤容器を一体型の洗剤収容枠体に収容したドラム式洗濯機。
【請求項２】
前記洗剤収容枠体を製品の概上部に配置した請求項１記載のドラム式洗濯機。
【請求項３】
前記洗剤収容枠体を前記第１の水槽と前記第２の水槽の概中間位置に配置した請求項１記載のドラム式洗濯機。
【請求項４】
前記第１の水槽および／または前記第２の水槽へ洗剤水を供給するポンプを少なくとも一つ備えた請求項１〜３のいずれか１項記載のドラム式洗濯機。
【請求項５】
前記ポンプと前記第１の水槽および／または前記第２の水槽との間の接続管には逆止弁を設けた請求項４記載のドラム式洗濯機。
【請求項６】
少なくとも上部に配置された第１の水槽に洗剤水を供給する前記ポンプと前記第１の水槽との間の接続管は、前記第１の水槽内の洗剤水の最高水位以上に立ち上げてある請求項４または５記載のドラム式洗濯機。
【発明の詳細な説明】
【技術分野】
【０００１】
本発明は、複数の水槽を備え、洗剤収容容器から排出される洗剤と水とが混合された洗剤水を送出する洗剤送出部を備えたドラム式洗濯機に関するものである。
【背景技術】
【０００２】
近年、衣類の種類に従って別々に洗濯したいという要望に応えるために、回転ドラム及びこれを内包する水槽の複数化を図ったドラム式洗濯機が開発されている。
【０００３】
従来、このようなドラム式洗濯機は、例えば、洗濯物を収容する２つの回転ドラムと、前記回転ドラムを内包する２つの水槽と、前記水槽の上方に設けられ、洗剤を収納する２つ洗剤収容容器と、前記洗剤収容容器に注水を行う２つの注水蓋体と、前記洗剤収容容器を引き出し自在に収容する空間部を構成する２つの洗剤収容枠体と、前記注水蓋体への給水の制御を行う給水器と、前記洗剤収容枠体の底部に設けられ前記２つの水槽にそれぞれ連通する給水経路とを備えた構成が一般的である（例えば、特許文献１参照）。
【先行技術文献】
【特許文献】
【０００４】
【特許文献１】中国実用新案第２４４１８２７号明細書
【発明の概要】
【発明が解決しようとする課題】
【０００５】
しかしながら、特許文献１の構成においては、回転ドラムの複数化を図ろうとすると、回転ドラムの周辺に配置される部品を複数化しなければならなかった。回転ドラムの周辺に配置される部品の一つとして、洗剤収容容器が挙げられる。この洗剤収容容器を複数化すれば、洗剤収容容器に収容される洗剤を投入する作業が複数回発生するため、洗剤投入作業が１回で終了せず洗濯機の使用者にとって不利益であった。
【０００６】
そこで、複数の洗剤収容容器を１つの洗剤収容枠体に収容することが望まれるが、洗剤収容枠体の単体化を図ろうとすると、洗剤収容容器の配置を最上部に限定する必要が生じる。また最上部に配置しない場合、回転ドラムへの洗剤水の給水経路に滞りが発生する懸念が生じる。
【０００７】
本発明は上記事情に鑑みてなされたもので、複数の水槽を備えたドラム式洗濯機において、洗剤投入作業を効率化でき、かつ、洗剤収容枠体の配置自由度を損なうことなく、回転ドラムへの洗剤水の給水経路を形成し得るドラム式洗濯機を提供することを目的とする。
【課題を解決するための手段】
【０００８】
本発明は上記目的を達成するために、ドラム式洗濯機は、上部に配置された第１の水槽と下部に配置された第２の水槽を併せ持つドラム式洗濯機において、前記第１の水槽に洗剤水を供給するための第１の洗剤容器と前記第２の水槽に洗剤水を供給するための第２の洗剤容器を備え、前記第１の洗剤容器と前記第２の洗剤容器を一体型の洗剤収容枠体に収容したドラム式洗濯機である。
【０００９】
この構成により、洗剤収容枠体の配置自由度を損なうことなく、２つの水槽および回転ドラムへの洗剤水の給水経路を形成することができ、洗濯機の操作者は複数の洗剤収容容器に洗剤を投入する際、１回の投入作業で洗剤投入作業を完了することができる。
【発明の効果】
【００１０】
本発明によれば、洗剤収容枠体の配置自由度を損なうことなく、２つの水槽および回転ドラムへの洗剤水の給水経路を形成することができ、複数の洗剤収容容器を１つの洗剤収容枠体に一体化することが出来、洗剤投入を１度の作業で終了することが出来るドラム式洗濯機を実現することができる。
【図面の簡単な説明】
【００１１】
【図１】本発明の実施の形態１におけるドラム式洗濯機の外観を示す斜視図
【図２】本発明の実施の形態１におけるドラム式洗濯機の概略縦断面図
【図３】本発明の実施の形態１におけるドラム式洗濯機の制御関係の構成を示すブロック図
【発明を実施するための形態】
【００１２】
第１の発明のドラム式洗濯機によれば、上部に配置された第１の水槽と下部に配置された第２の水槽を併せ持つドラム式洗濯機において、前記第１の水槽に洗剤水を供給するための第１の洗剤容器と前記第２の水槽に洗剤水を供給するための第２の洗剤容器を備え、前記第１の洗剤容器と前記第２の洗剤容器を一体型の洗剤収容枠体に収容したことにより、洗剤収容枠体の配置自由度を損なうことなく、２つの水槽および回転ドラムへの洗剤水の給水経路を形成することができ、洗濯機の操作者は複数の洗剤収容容器に洗剤を投入する際、１回の投入作業で洗剤投入作業を完了することができる。
【００１３】
第２の発明のドラム式洗濯機によれば、第１の発明の構成において、前記洗剤収容枠体を洗濯機本体の概上部に配置したことにより、水道の水圧に寄らず、いづれの回転ドラム及びこれを内包する水槽に対しても水または洗剤水を安定して供給することが可能となる。
【００１４】
第３の発明のドラム式洗濯機によれば、第１の発明の構成において、前記洗剤収容枠体を上下２つの回転ドラム及びこれを内包する水槽の概中間位置に配置したことにより、洗剤収容枠体の配置を上部に配置された水槽より下側に配置することができ、操作者が洗剤を投入する際に、必要以上に高い位置で作業する必要がなく、洗剤投入の作業性を良くすることができる。
【００１５】
第４の発明のドラム式洗濯機によれば、第１〜第３の発明の構成において、少なくとも一方の回転ドラム及びこれを内包する水槽に対して水または洗剤水を供給するためのポンプを少なくとも一つ備えたことにより、水道の水圧に寄らず、いづれの回転ドラム及びこれを内包する水槽に対しても水または洗剤水を安定して供給することが可能となる。
【００１６】
第５の発明のドラム式洗濯機によれば、第４の発明の構成において、ポンプと少なくとも一方の水槽の間の接続管には逆止弁を設けたことにより、ポンプが稼働していない場合においても水槽からポンプに水または洗剤水が逆流してくることを抑止することができる。
【００１７】
第６の発明のドラム式洗濯機によれば、第４または第５の発明の構成において、少なくとも上部に配置された第１の水槽に洗剤水を供給するポンプと第１の水槽の間に配置された接続管は、第１の水槽内の洗剤水の最高水位以上に立ち上げてあることにより、ポンプの揚力は、第１の水槽の最高水位までの合水に抗して第１の水槽内に洗剤水を送り込む必要がなくなり、また、ポンプが稼働していない場合においても第１の水槽からポンプに水または洗剤水が逆流してくることを抑止することができる。
【００１８】
以下、本発明の実施の形態について、図面を参照しながら説明する。なお、この実施の形態によって本発明が限定されるものではない。
【００１９】
（実施の形態１）
図１は、本発明の実施の形態１におけるドラム式洗濯機の外観を示す斜視図である。図２は、本発明の実施の形態１におけるドラム式洗濯機の概略縦断面図である。図３は、本発明の実施の形態１におけるドラム式洗濯機の制御関係の構成を示すブロック図である。
【００２０】
図１、図２に示すように、本実施の形態のドラム式洗濯機は、大略構成として、略箱状の本体部１と、第１回転軸１０２を支点として本体部１に対して開閉自在に設けられた第１扉体１０３と、第１扉体１０３の下部に配置された操作部４と、操作部４に隣接して配置された表示部５と、第１扉体１０３の下方で、かつ表示部５に隣接し、本体部１に対して凹んだ取っ手部４０に手を入れて前方に引き出し可能に開閉できる洗剤収容枠体１０６と、操作部４や洗剤収容枠体１０６の下方に第２回転軸２０２を支点として本体部１に対して開閉自在に設けられた第２扉体２０３と、を備える。洗剤収容枠体１０６には第１洗剤収容容器１０４（第１の洗剤容器）、および第２洗剤収容容器２０４（第２の洗剤容器）が内包されている。また、本体部１の上面には、後述する給水器２５の一部が露出されている。
【００２１】
本体部１へ衣類を投入、或いは本体部１から衣類を取り出すときには、第１扉体１０３または、第２扉体２０３を開いて行う。また、粉体状の粉末洗剤や液体洗剤や液体仕上剤などを第１洗剤収容容器１０４、および第２洗剤収容容器２０４に投入するときは、本体部１から洗剤収容枠体１０６を引き出して行う。粉末洗剤等を第１洗剤収容容器１０４および第２洗剤収容容器２０４に投入後は、洗剤収容枠体１０６を押し込んで本体部１内部側に収納する。操作部４を操作することで本体部１に電源が投入でき、また、洗いやすすぎ、脱水、など、各種洗濯コース、も選択できる。その選択結果や選択した洗濯コースが完了するまでの時間情報、各種洗濯行程進行状況、洗濯完了情報等が表示部５に表示されるようになっている。
【００２２】
次に、本体部１が有する各構成要素について説明する。
【００２３】
図２に示すように、本体部１には第１投入口１０７及び第２投入口２０７が設けられ、第１環状パッキン１０８及び第２環状パッキン２０８、第１回転ドラム１１０及び第２回転ドラム２１０、第１の水槽１１１及び第２の水槽２１１、第１モータ１１２および第２モータ２１２が収容されている。
【００２４】
第１投入口１０７は、本体部１の上部正面側に形成され、第１扉体１０３により開閉自在に閉塞され、第１扉体１０３を開放することにより、第１投入口１０７より衣類の出し入れができるようになっている。第１環状パッキン１０８は、第１投入口１０７と第１の水槽１１１の間に配置される。第１投入口１０７と第１の水槽１１１との間の隙間に、衣類が嵌入したり、洗濯水が脱落することを防止する。
【００２５】
第１回転ドラム１１０は、有底円筒形に形成され、外周部に多数の通水孔１１４が設けられ、本体部１内に揺動自在に支持された第１の水槽１１１内に回転自在に配設されている。第１回転ドラム１１０の通水孔１１４は、第１の水槽１１１内の洗濯水が第１回転ドラム１１０の内外に通過できるようになっている。第１モータ１１２は、第１の水槽１１１の背面側に取り付けており、第１の水槽１１１の第１回転ドラム１１０を正転、逆転方向に回転駆動する。
【００２６】
第１回転ドラム１１０の内壁面には、突起部１１３が複数設けられている。この突起部
１１３は、第１回転ドラム１１０を低速で回転させることにより、衣類を突起部１１３で引っ掛けて上方に持ち上げた後、適当な高さで落下させるといった撹拌動作（タンブリング動作）を与えることにより、衣類の撹拌たたき洗い、および乾燥動作などを行なう。
【００２７】
また、第１の水槽１１１の下方に配置されたダンパー１１５および第１の水槽１１１の上方に配置されたばね体１１６により、本体部１に対して第１の水槽１１１が揺動自在に防振支持されている。
【００２８】
第１の水槽１１１の背面側の下部には第１取水口１１７が設けられ、この第１取水口１１７は、排水弁１８を介して配水管１９を経由して排水ポンプ２０に接続されている。排水ポンプ２０の動作により第１の水槽１１１内の洗濯水を本体部１の外部に排水する。
【００２９】
第２投入口２０７は、本体部１の下部正面側に形成され、第２扉体２０３により開閉自在に閉塞され、第２扉体２０３を開放することにより、第２投入口２０７より衣類の出し入れができるようになっている。第２環状パッキン２０８は、第２投入口２０７と第２の水槽２１１の間に配置される。第２投入口２０７と第２の水槽２１１との間の隙間に、衣類が嵌入したり、洗濯水が脱落することを防止する。
【００３０】
第２回転ドラム２１０は、有底円筒形に形成され、外周部に多数の通水孔２１４が設けられ、本体部１内に揺動自在に支持された第２の水槽２１１内に回転自在に配設されている。第２回転ドラム２１０の通水孔２１４は、第２の水槽２１１内の洗濯水が第２回転ドラム２１０の内外に通過できるようになっている。第２モータ２１２は、第２の水槽２１１の背面側に取り付けており、第２の水槽２１１の第２回転ドラム２１０を正転、逆転方向に回転駆動する。
【００３１】
第２回転ドラム２１０の内壁面には、突起部２１３が複数設けられている。この突起部２１３は、第２回転ドラム２１０を低速で回転させることにより、衣類を突起部２１３で引っ掛けて上方に持ち上げた後、適当な高さで落下させるといった撹拌動作（タンブリング動作）を与えることにより、衣類の撹拌たたき洗い、および乾燥動作などを行なう。
【００３２】
また、第２の水槽２１１の下方に配置されたダンパー２１５および第２の水槽２１１の上方に配置されたばね体２１６により、本体部１に対して第２の水槽２１１が揺動自在に防振支持されている。
【００３３】
第２の水槽２１１の背面側の下部には第２取水口２１７が設けられ、この第２取水口２１７は、排水弁２８を介して配水管２９を経由して排水ポンプ２０に接続されている。排水ポンプ２０の動作により第２の水槽２１１内の洗濯水を本体部１の外部に排水する。
【００３４】
本体部１の第１の水槽１１１の上部側には、給水器２５が配置されている。本体部１の第２の水槽２１１の上部側で第１の水槽１１１との概中間高さ位置には、洗剤収容枠体１０６を含む洗剤収容部２６と、プリント基板から構成され制御回路を有する制御部２７と、が配置されている。
【００３５】
洗剤収容部２６は、洗剤収容枠体１０６と、給水部材３０と、送水部材３１と、第１接続管部材１３２、第２接続管部材２３２と、から構成される。
【００３６】
送水部材３１には、水道蛇口に接続される給水器２５が給水部材３０を介して接続されている。送水部材３１は、給水部材３０の下方に設けられており、洗剤収容枠体１０６を引き出し可能に保持している。第１接続管部材１３２（接続管）は、一端が送水部材３１に接続され、他端は第１の水槽１１１に接続される。第２接続管部材２３２（接続管）は
、一端が送水部材３１に接続され、他端は第２の水槽２１１に接続される。洗剤収容枠体１０６は、前述したように、本体部１に対して引き出し可能である。
【００３７】
次に、図３を用いて、制御回路を説明する。制御部２７は、電源スイッチ３３、水位検知手段３４、回転数検知手段３５、振動検知手段３６、布量検知手段３７、操作部４、表示部５、第１モータ１１２、第２モータ２１２、排水弁１８、２８、給水ポンプ２１、排水ポンプ２０、給水器２５に接続されている。
【００３８】
電源スイッチ３３は、商用電源から本体部１に供給される電力をＯＮ／ＯＦＦするものであり、使用者により手動操作される。水位検知手段３４は、第１の水槽１１１及び第２の水槽２１１内の水位を検知するものである。回転数検知手段３５は、第１回転ドラム１１０及び第２回転ドラム２１０の回転数を検知するものである。振動検知手段３６は、第１の水槽１１１及び第２の水槽２１１に生ずる加速度とその向きを検知するものである。振動検知手段３６は第１の水槽１１１及び第２の水槽２１１に取り付けられる。布量検知手段３７は、第１回転ドラム１１０及び第２回転ドラム２１０内に投入された洗濯物の量を検知するものである。
【００３９】
次に、図２を用いて、洗剤収容部２６について詳述する。
【００４０】
洗剤収容枠体１０６は、第１洗剤収容容器１０４と、第２洗剤収容容器２０４と、取っ手部４０と、を有する。第１洗剤収容容器１０４と第２洗剤収容容器２０４とは、第２洗剤収容容器２０４が前側、第１洗剤収容容器１０４が後側に、互いに隣り合わせて設けられている。第１洗剤収容容器１０４と第２洗剤収容容器２０４の底面は、いずれも後方に向かって下方に傾斜させて形成されており、後端に近いところにそれぞれ第１底面開口部１５０ａおよび第２底面開口部２５０ａが設けられている。取っ手部４０は、使用者が洗剤収容枠体１０６を前方に引き出すときに手を引っ掛ける部位である。洗剤収容枠体１０６の取っ手部４０が形成された側面は、本体部１の前面外観の一部を形成する。
【００４１】
送水部材３１は、上方が開口した有底形状に形成された断面形状が略コ字状の箱体である。この送水部材３１は、上方に重ねられる給水部材３０との間に形成される空間に、前述の洗剤収容枠体１０６が収納できるようになっている。送水部材３１の奥側の底面を形成する第１底面部１４７は、第１洗剤収容容器１０４からの洗剤が第１の水槽１１１に向かって排出される第１開口部１５０に向かって漸次深くなるように傾斜して形成されている。第１底面部１４７の上方には第１洗剤収容容器１０４の底面に設けた第１底面開口部１５０ａが開口している。
【００４２】
送水部材３１の前側の底面を形成する第２底面部２４７は、第２洗剤収容容器２０４からの洗剤が第２の水槽２１１に向かって排出される第２開口部２５０に向かって漸次深くなるように傾斜して形成されている。第２底面部２４７の上方には第２洗剤収容容器２０４の底面に設けた第２底面開口部２５０ａが開口している。
【００４３】
上述したように、洗剤収容枠体１０６は、第１洗剤収容容器１０４と第２洗剤収容容器２０４の底面を共に後方に向かって下方に傾斜させて形成したことにより、両底面の間にほぼ垂直な壁部１０６ａを有する。一方、送水部材３１の第１底面部１４７と第２底面部２４７も共に後方に向かって下方に傾斜させて形成したことにより、第１底面部１４７と第２底面部２４７の間にもほぼ垂直な壁部３１ａが形成されている。洗剤収容枠体１０６を本体部１内に収納したとき、洗剤収容枠体１０６の壁部１０６ａが送水部材３１の壁部３１ａに当接して位置決めされ、第１洗剤収容容器１０４および第２洗剤収容容器２０４、特にその底面に設けた第１底面開口部１５０ａおよび第２底面開口部２５０ａが前後方向の適切な位置に配されるよう構成している。
【００４４】
給水部材３０の底面には後部に第１給水孔３０ａ、前部に第２給水孔３０ｂが用意されている。第１給水孔３０ａは第１洗剤収容容器１０４の上方に配置されており、給水部材３０から第１洗剤収容容器１０４へ水を供給する。第２給水孔３０ｂは第２洗剤収容容器２０４の上方に配置されており、給水部材３０から第２洗剤収容容器２０４へ水を供給する。
【００４５】
第１開口部１５０から第１接続管部材１３２を通り、給水ポンプ２１（ポンプ）に接続する。第１開口部１５０に対して給水ポンプ２１は下方に配置されており洗剤水が自重で通水可能である。第１接続管部材１３２（接続管）は、また、給水ポンプ２１と第１の水槽１１１を接続している。給水ポンプ２１（ポンプ）と第１の水槽１１１の間には逆止弁１４が配置されている。第１接続管部材１３２（接続管）は第１の水槽１１１の背面のほぼ最上部に接続されている。この接続部１３２ａの高さ位置は、洗濯時の第１の水槽１１１内の洗剤水の最高水位以上の高さに立ち上げてある。
【００４６】
第２開口部２５０から第２接続管部材２３２を通り、第２の水槽２１１に接続する。第２接続管部材２３２（接続管）は接続部２３２ａで第２の水槽２１１の外周面のほぼ最上部に接続されている。第２開口部２５０に対して第２の水槽２１１は下方に配置されており、第２開口部２５０からの洗剤水が第２の水槽２１１内に自重で通水可能である。
【００４７】
次に、以上のように構成された本実施の形態のドラム式洗濯機の動作、作用について、説明する。
【００４８】
電源スイッチ３３のＯＮにより、本体部１に対して商用電源から電力が供給されて操作可能になる。使用者が第１扉体１０３または、第２扉体２０３を開き、第１回転ドラム１１０または、第２回転ドラム２１０内に洗濯物を投入し、次いで、洗剤収容枠体１０６を前方に引き出すと、第１洗剤収容容器１０４および第２洗剤収容容器２０４が本体部１から前方に露出され、第１の水槽１１１、第２の水槽２１１で洗濯したい洗濯物にそれぞれ対応する洗剤を第１洗剤収容容器１０４及び第２洗剤収容容器２０４へ必要量だけ投入する。
【００４９】
この状態から、使用者は操作部４にて各種洗濯コースや洗濯時の設定条件、上下どちらかの洗濯槽を使用するかを選択できる。洗濯コースには、『洗いのみ』、『すすぎのみ』、『脱水のみ』、さらには、『洗い』から『脱水』までの各行程を一貫して運転する『全行程』などがあり、洗濯時の設定条件としては、それら各行程を運転させる時間や回数がある。
【００５０】
例えば、使用者が『第１の水槽』『洗いのみ』と『第２の水槽』『洗いのみ』を同時に行うコースを選択し、操作部４を操作して設定条件を入力してから本体部１の運転を開始すると、水位検知手段３４、回転数検知手段３５、振動検知手段３６、布量検知手段３７からの出力と、設定内容に基づいて、表示部５に設定内容を表示するとともに洗濯終了時間を表示する。その後、制御部２７は、第１モータ１１２、第２モータ２１２、排水弁１８、２８、排水ポンプ２０、給水ポンプ２１、給水器２５などの動作を制御し、上記の設定の場合は、『洗い行程』、『すすぎ行程』、『脱水行程』の各行程のうち『洗い行程』のみを制御し実行する。
【００５１】
『第１の水槽』『洗い行程』において、第１洗剤収容容器１０４に給水されるように給水器２５が動作すると、水道水は給水器２５から給水部材３０に供給され、給水部材３０を通った後に第１洗剤収容容器１０４に対向する第１給水孔３０ａから水が吐出する。第１給水孔３０ａは第１洗剤収容容器１０４の上方に配置されており、給水部材３０から第
１洗剤収容容器１０４へ水を供給する。第１洗剤収容容器１０４に収容された洗剤は第１給水孔３０ａにより給水されることで水と混合され洗剤水となり、第１洗剤収容容器１０４から第１底面開口部１５０ａを通過し、第１底面部１４７に達し、第１開口部１５０へ送水される。
【００５２】
第１開口部１５０へ送水された洗剤水は、第１接続管部材１３２を流通し、給水ポンプ２１によって、逆止弁１４を通り第１の水槽１１１へ送水される。
【００５３】
第１洗剤収容容器１０４や送水部材３１等の洗剤水供給部は第１の水槽１１１より下方に配されているが、本実施の形態によれば、上述したとおり、洗剤水は、給水ポンプ２１により強制的に送水されるため滞留を抑制することができ、より確実に洗剤が溶解した洗剤水を第１の水槽１１１に送水することができる。また、給水ポンプ２１（ポンプ）と第１の水槽１１１を接続し洗剤水を送る送水経路である第１接続管部材１３２（接続管）には逆止弁１４が配置されており、給水ポンプ２１（ポンプ）が送水稼動していないときでも、洗剤水が給水ポンプ２１（ポンプ）へ戻ることを抑止している。
【００５４】
また、第１接続管部材１３２（接続管）は第１の水槽１１１の背面のほぼ最上部に接続され、その接続部１３２ａの高さ位置は、洗濯時の第１の水槽１１１内の洗剤水の最高水位以上の高さに立ち上げてあるので、給水ポンプ２１の揚水能力は、第１の水槽１１１の最高水位までの合水に抗して第１の水槽１１１内に洗剤水を送り込めるほど強力である必要がなく、また、給水ポンプ２１が稼働していない場合においても第１の水槽１１１から給水ポンプ２１に水または洗剤水が逆流してくることがない。
【００５５】
給水完了後、第１回転ドラム１１０が動作し始める。洗剤が水に溶解した洗剤水である洗濯水に洗濯物が浸り、洗濯物への洗剤の浸透、排出により洗濯物に付着した汚れを落とす。所定時間経過後、第１回転ドラム１１０の回転を停止し、排水弁１８を開き、排水ポンプ２０の動作により、洗濯水が排水されて、『第１の水槽』『洗い行程』が終了する。
【００５６】
同様に『第２の水槽』『洗い行程』において、第２洗剤収容容器２０４に給水されるように給水器２５が動作すると、水道水は給水器２５から給水部材３０に供給され、給水部材３０を通った後に第２洗剤収容容器２０４に対向する第２給水孔３０ｂから水が吐出する。第２給水孔３０ｂは第２洗剤収容容器２０４の上方に配置されており、給水部材３０から第２洗剤収容容器２０４へ水を供給する。第２洗剤収容容器２０４に収容された洗剤は第２給水孔３０ｂより給水されることで水と混合され洗剤水となり、第２洗剤収容容器２０４から第２底面開口部２５０ａを通過し、第２底面部２４７に達し、第２開口部２５０へ送水される。
【００５７】
第２開口部２５０へ送水された洗剤水は、第２接続管部材２３２を流通し、第２の水槽２１１へ送水される。第２洗剤収容容器２０４や送水部材３１等の洗剤水供給部は第２の水槽２１１より上方に配されているので、第１の水槽１１１側では必要であった逆止弁や給水ポンプは第２の水槽２１１への送水経路には不要である。
【００５８】
給水完了後、第２回転ドラム２１０が動作し始める。洗剤が水に溶解した洗剤水である洗濯水に洗濯物が浸り、洗濯物への洗剤の浸透、排出により洗濯物に付着した汚れを落とす。所定時間経過後、第２回転ドラム２１０の回転を停止し、排水弁２８を開き、排水ポンプ２０の動作により、洗濯水が排水されて、『第２の水槽』『洗い行程』が終了する。
【００５９】
なお、上述の動作になんらかの異常があった場合は、表示部５に異常情報を表示する。以上が、本実施の形態のドラム式洗濯機の動作、作用についての説明である。
【００６０】
以上まとめると、本発明の実施の形態のドラム式洗濯機では、上部に配置された第１の水槽１１１と下部に配置された第２の水槽２１１を併せ持つドラム式洗濯機において、第１の水槽１１１に洗剤水を供給するための第１洗剤収容容器１０４と第２の水槽２１１に洗剤水を供給するための第２洗剤収容容器２０４を備え、第１洗剤収容容器１０４と第２洗剤収容容器２０４を一体型の洗剤収容枠体１０６に収容したことにより、洗剤投入作業を効率化でき、かつ、洗剤収容枠体１０６の配置自由度を損なうことなく、回転ドラム１１０、２１０への洗剤水の給水経路を形成し得る。
【００６１】
そして、一つの洗剤収容枠体１０６から排出された洗剤を含む洗剤水及び水が流れる送水部材３１から第１の水槽１１１、第２の水槽２１１の双方に、個別にあるいは同時に自在に洗剤水または水道水を流通することが可能であるので、衣類の種類に従って別々に洗濯したいという要望に応えて開発された複数の水槽を備えたドラム式洗濯機で、異なる量や質の洗剤を使用して洗濯を行う場合に、洗剤の投入作業の効率化、簡易化を実現することができ、使い勝手の良いドラム式洗濯機を実現することができる。
【００６２】
なお、本実施の形態では、第１洗剤収容容器を第１の水槽の下部に配置し、給水ポンプ、逆止弁を配置したが、第１洗剤収容容器を本体部概上部へ配置した場合は、給水ポンプ、逆止弁は必ずしも配置しなくてもかまわない。
【００６３】
また、本実施の形態では、給水ポンプと上部に配置された第１の水槽との間の接続管を、第１の水槽の背面のほぼ最上部に接続することにより、洗濯時の第１の水槽内の洗剤水の最高水位以上の高さに立ち上げることを実現しているが、接続管の第１の水槽への接続部が第１の水槽内の洗剤水の最高水位以下であっても、給水ポンプから第１の水槽に到る途中の接続管の一部が洗濯時の第１の水槽内の洗剤水の最高水位以上の高さであれば、接続管を洗濯時の第１の水槽内の洗剤水の最高水位以上の高さに立ち上げることとなり、同等の効果を得ることができる。
【００６４】
また、本発明は、洗濯物を乾燥する乾燥手段および乾燥行程を備えたドラム式洗濯乾燥機に対しても同様の効果を得ることができる。
【産業上の利用可能性】
【００６５】
本発明に係るドラム式洗濯機は、複数回転ドラム及び回転ドラムを内包する複数の水槽を有する場合でも、洗剤収容部を１箇所にすることが可能であるという特徴を持ち、洗剤が投入可能な他の洗濯機にも適用できる。
【符号の説明】
【００６６】
１  本体部
４  操作部
５  表示部
１４  逆止弁
１８  排水弁
２０  排水ポンプ
２１  給水ポンプ（ポンプ）
２５  給水器
２６  洗剤収容部
２７  制御部
２８  排水弁
３０  給水部材
３０ａ  第１給水孔
３０ｂ  第２給水孔
３１  送水部材
３１ａ  壁部
３３  電源スイッチ
３４  水位検知手段
３５  回転数検知手段
３６  振動検知手段
３７  布量検知手段
４０  取っ手部
１０２  第１回転軸
１０３  第１扉体
１０４  第１洗剤収容容器（第１の洗剤容器）
１０６  洗剤収容枠体
１０６ａ  壁部
１０７  第１投入口
１０８  第１環状パッキン
１１０  第１回転ドラム
１１１  第１の水槽
１１２  第１モータ
１１７  第１取水口
１３２  第１接続管部材（接続管）
１３２ａ  接続部
１４７  第１底面部
１５０  第１開口部
１５０ａ  第１底面開口部
２０２  第２回転軸
２０３  第２扉体
２０４  第２洗剤収容容器（第２の洗剤容器）
２０７  第２投入口
２０８  第２環状パッキン
２１０  第２回転ドラム
２１１  第２の水槽
２１２  第２モータ
２１７  第２取水口
２３２  第２接続管部材（接続管）
２３２ａ  接続部
２４７  第２底面部
２５０  第２開口部
２５０ａ  第２底面開口部
【図１】
2017121393.tif 000003
【図２】
2017121393.tif 000004
【図３】
2017121393.tif 000005